(57)【要約】【課題】  利用者が施設を利用する前に最適な施設を配して指示し、利用者の施設利用の待ち時間を減少可能な利用施設最適制御システムを提供する。【解決手段】  対象者情報読取り手段１１はＲＦＩＤリーダ２やＲＦＩＤリーダ３１−１にて受信されたＲＦＩＤタグ４からのＲＦＩＤを基に対象者情報を読取る。対象者情報変換手段１２は対象者情報を利用施設の利用情報に変換し、利用施設情報解析手段１３は利用情報を解析し、その解析結果、利用施設情報記憶手段１４の記憶内容から利用施設を最適に運用するための運用情報を生成する。利用施設制御手段１５は運用情報や対象者利用施設操作手段３３−１からの操作情報を基に利用施設制御部３−１〜３−Ｎの制御情報を作成する。利用施設指示表示手段１６は制御情報、対象者がどの利用施設を利用すべきかを案内または指定するための表示情報を利用施設制御部３−１〜３−Ｎに送る。【選択図】      図１                                                  
2005145692.tif 000002
【特許請求の範囲】
【請求項１】
対象者が利用する利用施設における複数の割当て制御対象に対して最適割当て制御を行う利用施設最適制御システムであって、
前記対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグから前記対象者情報を前記複数の割当て制御対象の手前で読取るＲＦＩＤリーダと、前記ＲＦＩＤリーダにて前記ＲＦＩＤタグから読取った前記対象者情報を前記複数の割当て制御対象における利用情報に変換する変換手段と、複数の対象者各々に対応する前記利用情報を基に前記複数の割当て制御対象に対する最適割当て制御を行う制御手段と、前記複数の割当て制御対象各々に設けられかつ前記制御手段による割当て内容を表示する表示手段とを有することを特徴とする利用施設最適制御システム。
【請求項２】
エレベータの利用対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグから前記対象者情報を複数のエレベータの手前で読取るＲＦＩＤリーダと、前記ＲＦＩＤリーダにて前記ＲＦＩＤタグから読取った前記対象者情報を関連フロア階数情報に変換する変換手段と、複数の利用対象者各々に対応する前記関連フロア階数情報を基に複数のエレベータの最適割当て制御を行う制御手段と、前記複数のエレベータ各々に設けられかつ前記制御手段による割当て内容を表示する表示手段とを有することを特徴とするエレベータ最適制御システム。
【請求項３】
前記複数のエレーベータに設けられかつ前記ＲＦＩＤタグから前記対象者情報を読取る第２のＲＦＩＤリーダを含み、
前記ＲＦＩＤリーダにて前記ＲＦＩＤタグから前記対象者情報を読取った時に前記エレベータを呼び、前記第２のＲＦＩＤリーダにて前記対象者情報が読取られた時に前記関連フロア階数情報を基に前記エレベータに目的階を設定することを特徴とする請求項２記載のエレベータ最適制御システム。
【請求項４】
前記エレベータのドアを閉じる際に前記第２のＲＦＩＤリーダにて前記ＲＦＩＤタグから前記対象者情報を読取りかつ前記対象者情報が当該エレベータに対応することが識別された場合にその対象者を待ち合わせることを特徴とする請求項３記載のエレベータ最適制御システム。
【請求項５】
前記ＲＦＩＤタグは、少なくとも宿泊客の客室番号及び社員を特定する社員番号のいずれかを記録することを特徴とする請求項２から請求項４のいずれか記載のエレベータ最適制御システム。
【請求項６】
前記変換手段は、少なくとも前記客室番号及び前記社員番号のいずれかを目的フロア階数に変換することを特徴とする請求項５記載のエレベータ最適制御システム。
【請求項７】
前記ＲＦＩＤタグは、目的フロア階数を記録することを特徴とする請求項２から請求項４のいずれか記載のエレベータ最適制御システム。
【請求項８】
前記制御手段は、少なくとも前記目的フロア階数、前記複数のエレベータ各々の利用者数情報、前記複数のエレベータ各々の稼働状態、前記複数のエレベータ各々の定員から前記複数のエレベータの最適割当て制御を行うことを特徴とする請求項６または請求項７記載のエレベータ最適制御システム。
【請求項９】
前記エレベータに割当てられた階以外の階の利用者に対して適切なエレベータを利用すべく音声にて案内することを特徴とする請求項２から請求項８のいずれか記載のエレベータ最適制御システム。
【請求項１０】
対象者が利用する利用施設における複数の割当て制御対象に対して最適割当て制御を行う最適制御装置であって、
前記対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグから前記対象者情報を前記複数の割当て制御対象の手前で読取るＲＦＩＤリーダと、前記ＲＦＩＤリーダにて前記ＲＦＩＤタグから読取った前記対象者情報を前記複数の割当て制御対象における利用情報に変換する変換手段と、複数の対象者各々に対応する前記利用情報を基に前記複数の割当て制御対象に対する最適割当て制御を行う制御手段と、前記複数の割当て制御対象各々に設けられた表示手段に前記制御手段による割当て内容を表示するための情報を送出する手段とを有することを特徴とする最適制御装置。
【請求項１１】
複数のエレベータの最適割当て制御を行う最適制御装置であって、
エレベータの利用対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数のエレベータの手前で読取った前記対象者情報を関連フロア階数情報に変換する変換手段と、複数の利用対象者各々に対応する前記関連フロア階数情報を基に前記複数のエレベータの最適割当て制御を行う制御手段と、前記複数のエレベータ各々に設けられた表示手段に前記制御手段による割当て内容を表示するための情報を送出する手段とを有することを特徴とする最適制御装置。
【請求項１２】
前記ＲＦＩＤリーダにて前記ＲＦＩＤタグから前記対象者情報を読取った時に前記エレベータを呼び、前記対象者が前記エレベータに入った時に前記関連フロア階数情報を基に前記エレベータに目的階を設定することを特徴とする請求項１１記載の最適制御装置。
【請求項１３】
前記エレベータのドアを閉じる際に前記ＲＦＩＤリーダにて前記ＲＦＩＤタグから前記対象者情報を読取りかつ前記対象者情報が当該エレベータに対応することが識別された場合にその対象者を待ち合わせることを特徴とする請求項１１または請求項１２記載の最適制御装置。
【請求項１４】
前記ＲＦＩＤタグは、少なくとも宿泊客の客室番号及び社員を特定する社員番号のいずれかを記録することを特徴とする請求項１１から請求項１３のいずれか記載の最適制御装置。
【請求項１５】
前記変換手段は、少なくとも前記客室番号及び前記社員番号のいずれかを目的フロア階数に変換することを特徴とする請求項１４記載の最適制御装置。
【請求項１６】
前記ＲＦＩＤタグは、目的フロア階数を記録することを特徴とする請求項１１から請求項１３のいずれか記載の最適制御装置。
【請求項１７】
前記制御手段は、少なくとも前記目的フロア階数、前記複数のエレベータ各々の利用者数情報、前記複数のエレベータ各々の稼働状態、前記複数のエレベータ各々の定員から前記複数のエレベータの最適割当て制御を行うことを特徴とする請求項１５または請求項１６記載の最適制御装置。
【請求項１８】
前記エレベータに割当てられた階以外の階の利用者に対して適切なエレベータを利用すべく音声にて案内することを特徴とする請求項１１から請求項１７のいずれか記載の最適制御装置。
【請求項１９】
対象者が利用する利用施設における複数の割当て制御対象に対して最適割当て制御を行う最適制御装置を含むシステムの最適制御方法であって、前記最適制御装置側に、前記対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数の割当て制御対象の手前で読取った前記対象者情報を前記複数の割当て制御対象における利用情報に変換するステップと、複数の対象者各々に対応する前記利用情報を基に前記複数の割当て制御対象に対する最適割当て制御を行うステップと、当該最適割当て制御の内容を前記複数の割当て制御対象各々に設けられた表示手段に表示するための情報を送出するステップとを有することを特徴とする最適制御方法。
【請求項２０】
複数のエレベータの最適割当て制御を行う最適制御装置を含むシステムの最適制御方法であって、前記最適制御装置側に、エレベータの利用対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数のエレベータの手前で読取った前記対象者情報を関連フロア階数情報に変換する第１のステップと、複数の利用対象者各々に対応する前記関連フロア階数情報を基に前記複数のエレベータの最適割当て制御を行う第２のステップと、当該最適割当て制御の内容を前記複数のエレベータ各々に設けられた表示手段に表示するための情報を送出する第３のステップとを有することを特徴とする最適制御方法。
【請求項２１】
前記ＲＦＩＤリーダにて前記ＲＦＩＤタグから前記対象者情報を読取った時に前記エレベータを呼び、前記対象者が前記エレベータに入った時に前記関連フロア階数情報を基に前記エレベータに目的階を設定することを特徴とする請求項２０記載の最適制御方法。
【請求項２２】
前記エレベータのドアを閉じる際に前記ＲＦＩＤリーダにて前記ＲＦＩＤタグから前記対象者情報を読取りかつ前記対象者情報が当該エレベータに対応することが識別された場合にその対象者を待ち合わせることを特徴とする請求項２１記載の最適制御方法。
【請求項２３】
前記ＲＦＩＤタグは、少なくとも宿泊客の客室番号及び社員を特定する社員番号のいずれかを記録することを特徴とする請求項２０から請求項２２のいずれか記載の最適制御方法。
【請求項２４】
前記第１のステップは、少なくとも前記客室番号及び前記社員番号のいずれかを目的フロア階数に変換することを特徴とする請求項２３記載の最適制御方法。
【請求項２５】
前記ＲＦＩＤタグは、目的フロア階数を記録することを特徴とする請求項２０から請求項２２のいずれか記載の最適制御方法。
【請求項２６】
前記第２のステップは、少なくとも前記目的フロア階数、前記複数のエレベータ各々の利用者数情報、前記複数のエレベータ各々の稼働状態、前記複数のエレベータ各々の定員から前記複数のエレベータの最適割当て制御を行うことを特徴とする請求項２４または請求項２５記載の最適制御方法。
【請求項２７】
前記エレベータに割当てられた階以外の階の利用者に対して適切なエレベータを利用すべく音声にて案内することを特徴とする請求項２０から請求項２６のいずれか記載の最適制御方法。
【請求項２８】
対象者が利用する利用施設における複数の割当て制御対象に対して最適割当て制御を行う最適制御方法のプログラムであって、コンピュータに、前記最適制御装置側に、前記対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数の割当て制御対象の手前で読取った前記対象者情報を前記複数の割当て制御対象における利用情報に変換する処理と、複数の対象者各々に対応する前記利用情報を基に前記複数の割当て制御対象に対する最適割当て制御を行う処理と、当該最適割当て制御の内容を前記複数の割当て制御対象各々に設けられた表示手段に表示するための情報を送出する処理とを実行させるためのプログラム。
【請求項２９】
複数のエレベータの最適割当て制御を行う最適制御方法のプログラムであって、コンピュータに、エレベータの利用対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数のエレベータの手前で読取った前記対象者情報を関連フロア階数情報に変換する処理と、複数の利用対象者各々に対応する前記関連フロア階数情報を基に前記複数のエレベータの最適割当て制御を行う処理と、当該最適割当て制御の内容を前記複数のエレベータ各々に設けられた表示手段に表示するための情報を送出する処理とを実行させるためのプログラム。
【発明の詳細な説明】
【技術分野】
【０００１】
本発明は利用施設最適制御システム、エレベータ最適制御システム、最適制御装置及びそれらに用いる最適制御方法並びにそのプログラムに関し、特に対象者が利用するエレベータ等の施設の最適運用を実現するための制御方法に関する。
【背景技術】
【０００２】
従来、この種の最適制御方法としては、エレベータ利用者にエレベータ呼出タグ30を所持させることで、エレベータの混雑状況を把握でき、他のエレベータ呼出タグの所持者がエレベータを呼び出した時に乗り込めるスペースがあるか否かがわかり、空きスペースのあるエレベータケージを優先的に搬送することができるようにする方法がある（例えば、特許文献１参照）。
【０００３】
しかしながら、この方法では、エレベータを呼び寄せる場合、空スペースのみを考慮しており、最適な配箱になってない。また、この制御は一般的に満員状態になれば（アナログ的に）行われている制御である。
【０００４】
上記の最適制御方法では、腕の不自由な人（身障者や怪我人）に、ＩＤ、行先情報（行先階）、障害度等を記録したエレベータ呼出タグ（ＩＣタグ）を持たせ、エレベータホールには呼出感知アンテナを設置しておき、エレベータ呼出タグがエレベータケージ内に進入したことを呼出感知アンテナで感知し、利用者が乗ったと判断すると、エレベータ呼出タグに記録された行先情報にしたがって目的階に移動する。この方法では、身障者や怪我人（個）への便宜を図ることを目的としており、複数の対象者への便宜を考慮したものではない。
【０００５】
また、他の最適制御方法としては、会社を来訪した人が受付けで訪問先や訪問者名を告げると、受付けでフロア階数を書込んだＩＣタグ入り名札を渡し、そのＩＣタグ入り名札をつけた来訪者がエレベータに近付くと、エレベータが自動的に開くとともに、ＩＣタグ入り名札をエレベータ内の階数表示部にかざすと、指定階が表示されてその階まで動くようにする方法もある（例えば、特許文献２参照）。
【０００６】
この方法の場合も、一人の対象者（「個」）を対象としており、単にボタンを押すことをＲＦＩＤ（Ｒａｄｉｏ  Ｆｒｅｑｕｅｎｃｙ  ＩＤｅｎｔｉｆｉｃａｔｉｏｎ）化したに過ぎない。
【０００７】
さらに、別の最適制御方法としては、エレベータホールにレスポンダにトランスポンダを設けておき、来客に許可された行先階と有効日とがプログラムされたトランスポンダを渡したり、従業員のバッジ、ピン、名札等にトランスポンダを渡しておき、利用者が何度かエレベータを利用した履歴がある場合、その人が近づくと自動的にエレベータを呼ぶ方法がある（例えば、特許文献３参照）。この方法も、一人の対象者（「個」）を対象としており、単にボタンを押すことをＲＦＩＤ化したに過ぎない。
【０００８】
【特許文献１】特開２００３−０４８６７１号公報
【特許文献２】特開２０００−３０６０５０号公報
【特許文献３】特表２００３−５０１３３３号公報
【発明の開示】
【発明が解決しようとする課題】
【０００９】
上述した従来のエレベータでは、利用者がエレベータの前に行き、呼出しボタンを押し、エレベータに入ってから目的階を指定し、混雑時に、目的階（行き先）別にエレベータを固定的に分割しているので、呼出してからエレベータが到着するまでに時間を要するとともに、手に荷物等があった場合に不便であるという問題がある。
【００１０】
また、従来のエレベータでは、エレベータ内で目的階を指定する際に輻輳したり、エレベータ直前でドアが閉じたり、利用者の乗箱の状態によっては、各階止まりになったりするという問題がある。
【００１１】
そこで、本発明の目的は上記の問題点を解消し、利用者が施設を利用する前に最適な施設を配して指示することができ、利用者の施設利用の待ち時間を減少させることができる利用施設最適制御システム、エレベータ最適制御システム、最適制御装置及びそれらに用いる最適制御方法並びにそのプログラムを提供することにある。
【課題を解決するための手段】
【００１２】
本発明による利用施設最適制御システムは、対象者が利用する利用施設における複数の割当て制御対象に対して最適割当て制御を行う利用施設最適制御システムであって、
前記対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグから前記対象者情報を前記複数の割当て制御対象の手前で読取るＲＦＩＤリーダと、前記ＲＦＩＤリーダにて前記ＲＦＩＤタグから読取った前記対象者情報を前記複数の割当て制御対象における利用情報に変換する変換手段と、複数の対象者各々に対応する前記利用情報を基に前記複数の割当て制御対象に対する最適割当て制御を行う制御手段と、前記複数の割当て制御対象各々に設けられかつ前記制御手段による割当て内容を表示する表示手段とを備えている。
【００１３】
本発明によるエレベータ最適制御システムは、エレベータの利用対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグから前記対象者情報を複数のエレベータの手前で読取るＲＦＩＤリーダと、前記ＲＦＩＤリーダにて前記ＲＦＩＤタグから読取った前記対象者情報を関連フロア階数情報に変換する変換手段と、複数の利用対象者各々に対応する前記関連フロア階数情報を基に複数のエレベータの最適割当て制御を行う制御手段と、前記複数のエレベータ各々に設けられかつ前記制御手段による割当て内容を表示する表示手段とを備えている。
【００１４】
本発明による最適制御装置は、対象者が利用する利用施設における複数の割当て制御対象に対して最適割当て制御を行う最適制御装置であって、前記対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグから前記対象者情報を前記複数の割当て制御対象の手前で読取るＲＦＩＤリーダと、前記ＲＦＩＤリーダにて前記ＲＦＩＤタグから読取った前記対象者情報を前記複数の割当て制御対象における利用情報に変換する変換手段と、複数の対象者各々に対応する前記利用情報を基に前記複数の割当て制御対象に対する最適割当て制御を行う制御手段と、前記複数の割当て制御対象各々に設けられた表示手段に前記制御手段による割当て内容を表示するための情報を送出する手段とを備えている。
【００１５】
本発明による他の最適制御装置は、複数のエレベータの最適割当て制御を行う最適制御装置であって、
エレベータの利用対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数のエレベータの手前で読取った前記対象者情報を関連フロア階数情報に変換する変換手段と、複数の利用対象者各々に対応する前記関連フロア階数情報を基に前記複数のエレベータの最適割当て制御を行う制御手段と、前記複数のエレベータ各々に設けられた表示手段に前記制御手段による割当て内容を表示するための情報を送出する手段とを備えている。
【００１６】
本発明による最適制御方法は、対象者が利用する利用施設における複数の割当て制御対象に対して最適割当て制御を行う最適制御装置を含むシステムの最適制御方法であって、前記最適制御装置側に、前記対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数の割当て制御対象の手前で読取った前記対象者情報を前記複数の割当て制御対象における利用情報に変換するステップと、複数の対象者各々に対応する前記利用情報を基に前記複数の割当て制御対象に対する最適割当て制御を行うステップと、当該最適割当て制御の内容を前記複数の割当て制御対象各々に設けられた表示手段に表示するための情報を送出するステップとを備えている。
【００１７】
本発明による他の最適制御方法は、複数のエレベータの最適割当て制御を行う最適制御装置を含むシステムの最適制御方法であって、前記最適制御装置側に、エレベータの利用対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数のエレベータの手前で読取った前記対象者情報を関連フロア階数情報に変換する第１のステップと、複数の利用対象者各々に対応する前記関連フロア階数情報を基に前記複数のエレベータの最適割当て制御を行う第２のステップと、当該最適割当て制御の内容を前記複数のエレベータ各々に設けられた表示手段に表示するための情報を送出する第３のステップとを備えている。
【００１８】
本発明による最適制御方法のプログラムは、対象者が利用する利用施設における複数の割当て制御対象に対して最適割当て制御を行う最適制御方法のプログラムであって、コンピュータに、前記最適制御装置側に、前記対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数の割当て制御対象の手前で読取った前記対象者情報を前記複数の割当て制御対象における利用情報に変換する処理と、複数の対象者各々に対応する前記利用情報を基に前記複数の割当て制御対象に対する最適割当て制御を行う処理と、当該最適割当て制御の内容を前記複数の割当て制御対象各々に設けられた表示手段に表示するための情報を送出する処理とを実行させている。
【００１９】
本発明による他の最適制御方法のプログラムは、複数のエレベータの最適割当て制御を行う最適制御方法のプログラムであって、コンピュータに、エレベータの利用対象者に付随する対象者情報を記録するＲＦＩＤ（Ｒａｄｉｏ  Ｆｒｅｑｕｅｎｃｙ  ＩＤｅｎｔｉｆｉｃａｔｉｏｎ）タグからＲＦＩＤリーダにて前記複数のエレベータの手前で読取った前記対象者情報を関連フロア階数情報に変換する処理と、複数の利用対象者各々に対応する前記関連フロア階数情報を基に前記複数のエレベータの最適割当て制御を行う処理と、当該最適割当て制御の内容を前記複数のエレベータ各々に設けられた表示手段に表示するための情報を送出する処理とを実行させている。
【００２０】
すなわち、本発明の利用施設最適制御システムは、ホテル客室のキー、社員証等にＲＦＩＤ（Ｒａｄｉｏ  Ｆｒｅｑｕｅｎｃｙ  ＩＤｅｎｔｉｆｉｃａｔｉｏｎ）を内蔵し、エレベータホールへ近づくと、エレベータの手前（例えば、１０ｍ程度手前）に具備されたＲＦＩＤリーダによって、ホテル客室のキーのＲＦＩＤから客室Ｎｏ．を読上げ、客室フロア階数に変換し、社員証のＲＦＩＤから社員Ｎｏ．を読上げ、所属部署フロア階数に変換し、それらの情報を基に複数のエレベータの目的階別割当て等の最適配箱制御を行っている。
【００２１】
また、本発明の利用施設最適制御システムは、エレベータシステムが事前にエレベータを呼び、対象者がエレベータに入ると目的階を自動的に指定し、ドアを閉じる際に近くに対象者が来た場合にその対象者を待ち合わせる等の制御を行って、自動的に対象者の便宜及びエレベータ運行の効率化を図っている。
【００２２】
より具体的に説明すると、本発明の利用施設最適制御システムでは、ホテル客室のキーにＲＦＩＤ（ルームＮｏ．等を記録）、社員証（身分証明書）にＲＦＩＤ（社員番号等を記録）を装着し、エレベータホール手前にＲＦＩＤリーダを設置し、エレベータ制御システムにおいて、ＲＦＩＤリーダがキーや社員証から読取ったルームＮｏ．や社員番号から関連フロア階数を読出し、それらの情報を基に目的フロア階数、利用者数情報（乗箱の利用者状況、新規利用者の目的階数別人数）と、稼動エレベータ（箱）の走行・停止位置（乗箱の走行・停止階数）、稼動エレベータの定員等から最適な箱を配箱している。尚、ＲＦＩＤには直接フロア階数を書込むことも可能である。
【００２３】
また、本発明の利用施設最適制御システムでは、利用者の目的階によって最適分散乗箱すべく指示を出す。例えば、箱Ａは「２−１０階」、箱Ｂは「１１−１７階」、箱Ｃは「１８−２７階」等と乗箱指示を出す。この乗箱指示に基づいて利用者が乗箱した場合に、分類した目的階以外の利用者に対しては、適切な箱を利用すべく音声にて案内する。
【００２４】
さらに、本発明の利用施設最適制御システムでは、エレベータ内にＲＦＩＤリーダを具備し、利用者が乗箱した時、ＲＦＩＤから目的階を当該エレベータに自動的に指定する。その際、ドアを閉じる時に、入口ＲＦＩＤリーダで新たに利用者を検出した場合には、適切な箱があると、その箱を少々待ち合わせる等の最適な処理をする。
【００２５】
これによって、本発明の利用施設最適制御システムでは、目的階の違う複数の利用者の情報から目的階別利用者数を把握し、利用者がエレベータに乗り込む前に、最適な配箱、指示が可能になるため、利用者のエレベータ待ち時間及びエレベータ運行の効率化が可能となる。
【００２６】
また、本発明の利用施設最適制御システムでは、目的階別に設定されるので、エレベータの各階止まり等の状況を回避できるため、エレベータに乗り込んでから目的階への到達を早くすることが可能となる。
【００２７】
さらに、本発明の利用施設最適制御システムでは、利用者の接近を事前に認知することが可能となるため、エレベータ箱直前でドアが閉まってしまうような状況を回避することが可能となる。
【発明の効果】
【００２８】
本発明は、以下に述べる構成及び動作とすることで、利用者が施設を利用する前に最適な施設を配して指示することができ、利用者の施設利用の待ち時間を減少させることができるという効果が得られる。
【発明を実施するための最良の形態】
【００２９】
次に、本発明の実施の形態について図面を参照して説明する。図１は本発明の実施の形態による利用施設最適制御システムの構成を示すブロック図である。図１において、本発明の実施の形態による利用施設最適制御システムは利用施設制御装置（最適制御装置）１と、ＲＦＩＤ（Ｒａｄｉｏ  Ｆｒｅｑｕｅｎｃｙ  ＩＤｅｎｔｉｆｉｃａｔｉｏｎ）リーダ２と、利用施設制御部３−１〜３−Ｎと、キーやカード類等に搭載されたＲＦＩＤタグ４とから構成されている。
【００３０】
利用施設制御装置１は対象者情報読取り手段１１と、対象者情報変換手段１２と、利用施設情報解析手段１３と、利用施設情報記憶手段１４と、利用施設制御手段１５と、利用施設指示表示手段１６と、利用施設制御装置１で実行されるプログラム（コンピュータで実行可能なプログラム）を格納する記録媒体１７とから構成されている。
【００３１】
利用施設制御部３−１〜３−ＮはＲＦＩＤリーダ３１−１〜３１−Ｎ（ＲＦＩＤリーダ３１−２〜３１−Ｎは図示せず）と、対象者利用施設表示手段３２−１〜３２−Ｎ（対象者利用施設表示手段３２−２〜３２−Ｎは図示せず）と、対象者利用施設操作手段３３−１〜３３−Ｎ（対象者利用施設操作手段３３−２〜３３−Ｎは図示せず）とから構成されている。
【００３２】
対象者情報読取り手段１１はＲＦＩＤリーダ２によって受信されたＲＦＩＤタグ４からのＲＦＩＤや利用施設制御部３−１〜３−ＮのＲＦＩＤリーダ３１−１〜３１−Ｎによって受信されたＲＦＩＤタグ４からのＲＦＩＤを基に対象者情報を読取り、その対象者情報を対象者情報変換手段１２に渡す。
【００３３】
対象者情報変換手段１２は対象者情報読取り手段１１からの対象者情報を利用施設の利用情報（例えば、エレベータにおいてどの階を利用するか、複数の駐車スぺースや交通機関の複数の便のうちのいずれを利用するか等）に変換し、その利用情報を利用施設情報解析手段１３に渡す。
【００３４】
利用施設情報解析手段１３は対象者情報変換手段１２で変換された利用情報を解析し、その解析結果及び利用施設情報記憶手段１４に記憶された利用施設の利用者状況、利用施設の割当て制御対象（例えば、エレベータの箱、駐車場の駐車スペース、交通機関の各種運行情報等）での定員、収納台数、停車情報等から利用施設を最適に運用するための運用情報を生成し、その運用情報を利用施設制御手段１５に渡す。
【００３５】
利用施設制御手段１５は利用施設情報解析手段１３からの運用情報や利用施設制御部３−１〜３−Ｎの対象者利用施設操作手段３３−１〜３３−Ｎからの操作情報を基に利用施設制御部３−１〜３−Ｎの制御情報を作成して利用施設指示表示手段１６に渡す。
【００３６】
利用施設指示表示手段１６は利用施設制御手段１５からの制御情報を利用施設制御部３−１〜３−Ｎに送るとともに、利用施設において対象者がどの割当て制御対象を利用すべきかを案内または指定するための表示情報を利用施設制御部３−１〜３−Ｎの対象者利用施設表示手段３２−１〜３２−Ｎに送る。
【００３７】
利用施設制御部３−１〜３−Ｎは利用施設制御手段１５からの制御情報にしたがって利用施設の割当て制御対象を運用制御するととも、利用施設指示表示手段１６からの表示情報を対象者利用施設表示手段３２−１〜３２−Ｎに表示させ、対象者が利用施設のどの割当て制御対象を利用すべきかを案内または指定する。
【００３８】
このように、本発明の実施の形態では、目的の異なる複数の対象者の情報から利用施設に対する目的別利用者数を把握し、利用者が利用施設を利用する前に、最適な割当て制御対象を配して指示することができるため、対象者における利用施設の利用待ち時間を減少させるとともに、利用施設の効率的な使用を図ることができる。
【００３９】
また、本発明の利用施設最適制御システムでは、対象者の接近を事前に認知することができるため、利用施設における対象者の利用機会の喪失や待ち合わせを回避することができる。
【実施例１】
【００４０】
図２は本発明の一実施例によるエレベータ制御システムの概念を示す図である。図２において、本発明の一実施例によるエレベータ制御システムでは、朝の通勤時間帯、会社のエレベータホールにて、ＲＦＩＤ内蔵の社員証を持った社員がエレベータホールへ向かうと、エレベータホール手前のＲＦＩＤリーダがＲＦＩＤから社員番号を読出す。
【００４１】
エレベータ制御システムは社員番号に対応する関連フロア階数を検索し、検索したフロア階数をエレベータ制御部に送る。ＲＦＩＤに社員番号が記録されている場合には、社員番号をフロア階数に変換する処理をエレベータ制御システムにて行う。
【００４２】
エレベータ制御システムは目的フロア階数、利用者数情報、稼動エレベータ（箱）の走行・停止位置等から最適な稼動エレベータを配し、多数利用者がいる場合には、効率の良い最適な分散乗箱の指示を出す。この指示はエレベータ箱の前面の表示部等に表示させる。
【００４３】
ここで、エレベータ制御システムは具体的な制御として、目的階の人数、箱定員、箱の走行・停止階状況等から、配箱、箱の目的階分離を行う。例えば、箱Ａ＝２−１０階、箱Ｂ＝１１−１７階、箱Ｃ＝１８−２７階等のようにエレベータ制御部に対する制御を行うとともに、運行階数をエレベータ箱の前面の表示部等に表示させる。
【００４４】
社員がエレベータ箱の前面の表示部等に表示された運行階数を基に対応するエレベータを選択してその中に入ると、エレベータ制御部は再度、社員証ＲＦＩＤから社員番号を読出し、関連階へのセットを行う。この場合、ちょっと遅れてくる対象者（新たに入口ＲＦリーダで認知された対象者）のために、エレベータ制御部は想定した対象者が乗り込まない場合にタイミングをとって待ち合わせる（３−５秒程度）。
【００４５】
また、エレベータ制御部は乗り込んだ対象者の中に当該エレベータが走行しない階へ移動する人がいると、停止階のアナウンス、あるいは該当しない対象へのその階へは停止しない旨を示すアナウンスを行う。上記の処理がすべて終了すると、エレベータ制御部はエレベータを上記の運用情報に基づいて走行させるので、対象者は対応する階で降りる。
【００４６】
図３は本発明の一実施例によるエレベータ最適制御システムの構成を示すブロック図である。図３において、本発明の一実施例によるエレベータ最適制御システムはエレベータ制御装置（最適制御装置）５と、ＲＦＩＤリーダ２と、エレベータ制御部６−１〜６−Ｎと、ホテルの客室キーや社員証等のカード類等に搭載されたＲＦＩＤタグ４とから構成されている。
【００４７】
エレベータ制御装置５は対象者情報読取り手段１１と、対象者情報変換手段１２と、エレベータ情報解析手段５１と、エレベータ情報記憶手段５２と、エレベータ制御手段５３と、エレベータ指示表示手段５４と、エレベータ制御装置５で実行されるプログラム（コンピュータで実行可能なプログラム）を格納する記録媒体５５とから構成されている。
【００４８】
エレベータ制御部６−１〜６−ＮはＲＦＩＤリーダ３１−１〜３１−Ｎ（ＲＦＩＤリーダ３１−２〜３１−Ｎは図示せず）と、エレベータ表示手段６１−１〜６１−Ｎ（エレベータ表示手段６１−２〜６１−Ｎは図示せず）と、エレベータ操作手段６２−１〜６２−Ｎ（エレベータ操作手段６２−２〜６２−Ｎは図示せず）とから構成されている。
【００４９】
ここで、ホテル客室のキーに搭載されるＲＦＩＤタグ４にはルームＮｏ．等を記録し、社員証（身分証明書）に搭載されるＲＦＩＤタグ４には社員番号等を記録しているが、ＲＦＩＤタグ４には関連フロア階数を直接書込むことも可能である。
【００５０】
対象者情報読取り手段１１はＲＦＩＤリーダ２によって受信されたＲＦＩＤタグ４からのＲＦＩＤやエレベータ制御部６−１〜６−ＮのＲＦＩＤリーダ３１−１〜３１−Ｎによって受信されたＲＦＩＤタグ４からのＲＦＩＤを基に対象者情報（ホテルのルームＮｏ．や社員番号等）を読取り、その対象者情報を対象者情報変換手段１２に渡す。
【００５１】
対象者情報変換手段１２は対象者情報読取り手段１１からの対象者情報を利用施設の利用情報（例えば、関連フロア階数等）に変換し、その利用情報をエレベータ情報解析手段５１に渡す。
【００５２】
エレベータ情報解析手段５１は対象者情報変換手段１２で変換された利用情報を解析し、その解析結果、利用施設情報記憶手段５２に記憶されたエレベータの利用者数情報（乗箱の利用者状況、新規利用者の目的階数別人数）、稼動エレベータ（箱）の走行・停止位置（乗箱の走行・停止階数）、稼動エレベータの定員等からエレベータを最適に運用するための運用情報を生成し、その運用情報をエレベータ制御手段５３に渡す。
【００５３】
エレベータ制御手段５３はエレベータ情報解析手段５１からの運用情報やエレベータ制御部６−１〜６−Ｎのエレベータ操作手段６２−１〜６２−Ｎからの操作情報を基にエレベータ制御部６−１〜６−Ｎの制御情報を作成してエレベータ指示表示手段５４に渡す。
【００５４】
エレベータ指示表示手段５４はエレベータ制御手段５３からの制御情報をエレベータ制御部６−１〜６−Ｎに送るとともに、対象者がどのエレベータを利用すべきかを案内または指定するための表示情報をエレベータ制御部６−１〜６−Ｎのエレベータ表示手段６１−１〜６１−Ｎに送る。
【００５５】
エレベータ制御部６−１〜６−Ｎはエレベータ制御手段５３からの制御情報にしたがってエレベータを運用動作させるととも、エレベータ指示表示手段５４からの表示情報をエレベータ表示手段６１−１〜６１−Ｎに表示させ、対象者がどのエレベータを利用すべきかを案内または指定する。例えば、エレベータＡは「２−１０階」、エレベータＢは「１１−１７階」、エレベータＣは「１８−２７階」等と乗箱指示を出すとともに、それをエレベータ表示手段６１−１〜６１−Ｎに表示させる。この場合には、ＲＦＩＤリーダ３１−１〜３１−Ｎによって検知された分類した目的階以外の対象者に、適切なエレベータを利用すべく音声にて案内する。
【００５６】
また、エレベータのドアを閉じる時に、ＲＦＩＤリーダ３１−１〜３１−Ｎによって新たに対象者を検出した場合には、適切なエレベータがあると、そのエレベータを少々待ち合わせる等の最適な処理をする。
【００５７】
図４は本発明の一実施例によるエレベータ最適制御システムの動作を示すシーケンスチャートである。これら図３及び図４を参照して本発明の一実施例によるエレベータ最適制御システムの動作について説明する。尚、図４において、エレベータ制御装置５の動作は図示せぬＣＰＵ（中央処理装置）等が記録媒体５５のプログラムを実行することで実現される。
【００５８】
ＲＦＩＤタグ４を内蔵する媒体を持った対象者がエレベータホールへ向かうと、エレベータホール手前のＲＦＩＤリーダ２がＲＦＩＤタグ４からＲＦＩＤ（ルームＮｏ．や社員番号）を読出し（図４のａ１）、そのＲＦＩＤをエレベータ制御装置５に送る（図４のａ１）。
【００５９】
エレベータ制御装置５はＲＦＩＤをフロア階数情報に変換し（図４のａ３）、フロア階数情報を解析する（図４のａ４）。エレベータ制御装置５はその解析結果を基にエレベータの最適運用制御を行い（図４のａ５）、エレベータの個別運用階数をエレベータ制御部６−１〜６−Ｎに指示する（図４のａ６）。
【００６０】
エレベータ制御部６−１〜６−Ｎはそれぞれ個別運用階数に基づいて停止階数等の表示を行い（図４のａ７）、停止階数以外の階へ移動する対象者がエレベータに乗り込むと、停止階数の音声案内またはその対象者が移動する階には止まらない旨の音声案内を行う（図４のａ８）。
【００６１】
その後に、エレベータ制御部６−１〜６−Ｎはエレベータ制御装置５からのエレベータ個別制御にしたがって、エレベータを個別に上昇下降させる（図４のａ９）。
【００６２】
このように、本実施例では、目的階の違う複数の対象者の情報から、目的階別利用者数を把握し、対象者がエレベータに乗り込む前に最適な配箱や指示ができるので、対象者のエレベータ待ち時間を減少させることができる。
【００６３】
また、本実施例では、エレベータを目的階別に設定するため、エレベータの各階止まり等の状況を回避することができるため、エレベータに乗り込んでから目的階への到達を早くすることができる。
【００６４】
さらに、本実施例では、対象者の接近を事前に認知することができるので、エレベータ箱直前でドアが閉まってしまうような状況を回避することができる。
【実施例２】
【００６５】
図５は本発明の他の実施例による駐車場最適制御システムの構成を示すブロック図である。図５において、本発明の他の実施例による駐車場最適制御システムは駐車場施設制御装置７と、ＲＦＩＤリーダ２と、駐車場施設制御部８−１〜８−Ｎと、車輛等に搭載されたＲＦＩＤタグ４とから構成されている。
【００６６】
駐車場施設制御装置７は対象者情報読取り手段１１と、対象者情報変換手段１２と、駐車場運用情報解析手段７１と、駐車場運用情報記憶手段７２と、駐車場運用管理手段７３と、駐車場運用指示表示手段７４と、駐車場施設制御装置７で実行されるプログラム（コンピュータで実行可能なプログラム）を格納する記録媒体７５とから構成されている。
【００６７】
駐車場施設制御部８−１〜８−ＮはＲＦＩＤリーダ３１−１〜３１−Ｎ（ＲＦＩＤリーダ３１−２〜３１−Ｎは図示せず）と、駐車場施設表示手段８１−１〜８１−Ｎ（駐車場施設表示手段８１−２〜８１−Ｎは図示せず）と、駐車場施設操作手段８２−１〜８２−Ｎ（駐車場施設操作手段８２−２〜８２−Ｎは図示せず）とから構成されている。
【００６８】
本実施例による駐車場最適制御システムは、最適な空スペースを表示させて車輛を最適な空スペースへの誘導を実現するために動作するようにした以外は図１に示す本発明の実施の形態による利用施設最適制御システムと同様の動作を行う。
【００６９】
この場合、駐車場は幾つかのブロックにわけて管理することも、またそれぞれ独立に設置された駐車場を管理することも、駐車ビルの場合には各階毎に管理することも可能である。この駐車場においては、入口において車輛を認識した場合、その車輛を最適な空スペースへ誘導することが可能である。但し、ＲＦＩＤタグ４は車輛に搭載しても、運転者が所持してもよい。
【実施例３】
【００７０】
図６は本発明の別の実施例による案内施設最適制御システムの構成を示すブロック図である。図６において、本発明の別の実施例による案内施設最適制御システムは案内施設制御装置９と、ＲＦＩＤリーダ２と、案内施設制御部１０−１〜１０−Ｎと、対象者（例えば、交通機関利用者等）の定期券や支払カード等に搭載されたＲＦＩＤタグ４とから構成されている。
【００７１】
案内施設制御装置９は対象者情報読取り手段１１と、対象者情報変換手段１２と、案内施設情報解析手段９１と、交通機関のダイヤ情報や発車番線情報等を記憶する案内施設情報記憶手段９２と、案内施設制御手段９３と、案内施設指示表示手段９４と、案内施設制御装置９で実行されるプログラム（コンピュータで実行可能なプログラム）を格納する記録媒体９５とから構成されている。
【００７２】
案内施設制御部１０−１〜１０−ＮはＲＦＩＤリーダ３１−１〜３１−Ｎ（ＲＦＩＤリーダ３１−２〜３１−Ｎは図示せず）と、案内施設表示手段１０１−１〜１０１−Ｎ（案内施設表示手段１０１−２〜１０１−Ｎは図示せず）と、案内施設操作手段１０２−１〜１０２−Ｎ（案内施設操作手段１０２−２〜１０２−Ｎは図示せず）とから構成されている。
【００７３】
本実施例による案内施設最適制御システムは、交通機関利用者の定期券や支払カード等に搭載されたＲＦＩＤタグ４から対象者情報を読取って、その対象者情報に対応する交通機関の情報、次の列車のホーム案内、次の発車時刻の案内、空いている車両の案内等を案内施設表示手段１０１−１〜１０１−Ｎに表示させるようにした以外は図１に示す本発明の実施の形態による利用施設最適制御システムと同様の動作を行う。
【００７４】
この場合、ＲＦＩＤタグ４が搭載された定期券や支払カード等を所持する対象者が列車ゆバス利用の場面において、改札を通過した際に、次の列車やバスのホーム案内、次の発車時刻の案内、空いている車両の案内等を個別に行うことが可能となる。
【産業上の利用可能性】
【００７５】
本発明は、エレベータ、駐車場、交通機関以外にも、カード類を使用する対象者が施設（例えば、遊戯施設、娯楽施設、乗り物施設等）を利用する際に、ＲＦＩＤタグに記録された情報を施設の利用情報に変換することで、対応する施設に誘導、案内することが可能である。
【図面の簡単な説明】
【００７６】
【図１】本発明の実施の形態による利用施設最適制御システムの構成を示すブロック図である。
【図２】本発明の一実施例によるエレベータ制御システムの概念を示す図である。
【図３】本発明の一実施例によるエレベータ最適制御システムの構成を示すブロック図である。
【図４】本発明の一実施例によるエレベータ最適制御システムの動作を示すシーケンスチャートである。
【図５】本発明の他の実施例による駐車場最適制御システムの構成を示すブロック図である。
【図６】本発明の別の実施例による案内施設最適制御システムの構成を示すブロック図である。
【符号の説明】
【００７７】
１  利用施設制御装置
２，３１−１  ＲＦＩＤリーダ
３−１〜３−Ｎ  利用施設制御部
４  ＲＦＩＤタグ
５  エレベータ制御装置
６−１〜６−Ｎ  エレベータ制御部
７  駐車場施設制御装置
８−１〜８−Ｎ  駐車場施設制御部
９  案内施設制御装置
１０−１〜１０−Ｎ  案内施設制御部
１１  対象者情報読取り手段
１２  対象者情報変換手段
１３  利用施設情報解析手段
１４  利用施設情報記憶手段
１５  利用施設制御手段
１６  利用施設指示表示手段
１７，５５，７５，９５  記録媒体
３２−１  対象者利用施設表示手段
３３−１  対象者利用施設操作手段
５１  エレベータ情報解析手段
５２  エレベータ情報記憶手段
５３  エレベータ制御手段
５４  エレベータ指示表示手段
６１−１  エレベータ表示手段
６２−１  エレベータ操作手段
７１  駐車場運用情報解析手段
７２  駐車場運用情報記憶手段
７３  駐車場運用管理手段
７４  駐車場運用指示表示手段
８１−１  駐車場施設表示手段
８２−１  駐車場施設操作手段
９１  案内施設情報解析手段
９２  案内施設情報記憶手段
９３  案内施設制御手段
９４  案内施設指示表示手段
１０１−１  案内施設表示手段
１０２−１  案内施設操作手段
【図１】
2005145692.tif 000003
【図２】
2005145692.tif 000004
【図３】
2005145692.tif 000005
【図４】
2005145692.tif 000006
【図５】
2005145692.tif 000007
【図６】
2005145692.tif 000008